(57)【特許請求の範囲】
【請求項１】
電力の伝送線路に直列に検出用抵抗を接続し、該検出用抵抗の両端にそれぞれ現れた２つの端子電圧の差より該伝送線路に流れる電流を検出する電流検出回路において、
基準電位点に一方の端子が接続された基準電圧源と、該基準電圧源に接続された切換回路とを具備し、
該伝送線路の電圧が第１の極性の時には、該２つの端子電圧に相当する２つの電圧信号にそれぞれ該基準電圧源が出力する基準電圧でバイアスを与え、該バイアスを受けた該２つの電圧信号から該伝送線路に流れる電流の流量に相当する信号を得て、
該伝送線路の電圧が第２の極性の時には、該切換回路により該基準電圧の供給を停止させ、該２つの端子電圧に相当する２つの電圧信号から該伝送線路に流れる電流の流量に相当する信号を得る
ことを特徴とする電流検出回路。
【請求項２】
電力の伝送線路に直列に検出用抵抗を接続し、該検出用抵抗の両端にそれぞれ現れた２つの端子電圧の差より該伝送線路に流れる電流を検出する電流検出回路において、
該検出用抵抗の両端にそれぞれ接続された第１と第２の分圧回路と、基準電位点に一方の端子が接続された基準電圧源と、該基準電圧源に接続された切換回路とを具備し、
該伝送線路の電圧が第１の極性の時には、該第１の分圧回路の分圧点に現れた第１の分圧電圧と該第２の分圧回路の分圧点に現れた第２の分圧電圧にそれぞれ該基準電圧源が出力する基準電圧でバイアスを与え、該バイアスを受けた該第１と第２の分圧電圧から該伝送線路に流れる電流の流量に相当する信号を得て、
該伝送線路の電圧が第２極性の時には、該切換回路により該基準電圧の供給を停止させ、該第１の分圧回路の分圧点に現れた第１の分圧電圧と該第２の分圧回路の分圧点に現れた第２の分圧電圧から該伝送線路に流れる電流の流量に相当する信号を得る
ことを特徴とする電流検出回路。
【請求項３】
前記第１の極性が負極性で、前記第２の極性が正極性であることを特徴とする、請求項２に記載した電流検出回路。
【請求項４】
前記基準電圧源が出力する基準電圧の電圧値は、該基準電圧でバイアスを受けた前記第１と第２の分圧電圧の双方が、負の電圧値から正の電圧値に転換する大きさであることを特徴とする請求項３に記載した電流検出回路。
【請求項５】
電力の伝送線路に直列に接続された検出用抵抗と、
基準電位点に一方の端子が接続された基準電圧源と、
該基準電圧源に接続され、電力伝送線路の電圧極性に応じて該基準電圧の供給を停止させる切換回路と、
直列に接続された第１および第２の抵抗を有し、該検出用抵抗の一端と該基準電圧の他方の端子との間に接続された第１分圧回路と、
直列に接続された第３および第４の抵抗を有し、該検出用抵抗の他端と該基準電圧の他方の電極との間に接続された第２分圧回路と、
第１の入力端子が該第１と第２の抵抗の接続点に接続され、第２の入力端子が該第３と第４の抵抗の接続点に接続された誤差増幅器と
を具備する電流検出回路。
【発明の詳細な説明】
【０００１】
【発明の属する技術分野】
本発明は、電源回路の出力電流などを検出するための電流検出回路に関し、電流を検出すると同時に、得られた検出信号の電圧極性を制御回路系統に適合する電圧極性にするための技術に関する。
【０００２】
【従来の技術】
近年の電子機器には様々な機能を持った電子素子・装置が数多く搭載されている。これらの電子素子・装置を動作させるには、当然、その電子素子・装置に適した仕様（例えば、電圧値、極性、周波数など）で電源を供給する必要があり、一つの電子機器の内部でも電源の仕様が異なる回路系統が存在することがある。その一例として蛍光表示管について考えてみると、蛍光表示管を駆動するにはフィラメントを加熱するのに必要な電流を得る第１の電源と蛍光表示管を表示させるのに必要な電圧を得る第２の電源とを構成しておく必要がある。具体的には、従来、蛍光表示管とその周辺回路は図４に示すような構成としていた。
【０００３】
図４に示す回路は、トランスＴを設け、その１次巻線Ｎ１の両端を変換回路２の出力端に接続する。変換回路２の入力端は入力端子１ａ、１ｂに接続し、変換回路２にその動作を制御する制御回路３を接続する。このトランスＴ、変換回路２、制御回路３によりインバータ形式の電源回路４を構成し、トランスＴの２次巻線Ｎ２の両端間に蛍光表示管ＦＩＴのフィラメントを接続する。そして、トランスＴの２次巻線Ｎ２に中間タップＰを設け、その中間タップＰを電流検出回路９ｃを構成するカレントトランスＣＴの１次巻線Ｎ３を介して電圧源５の一端に接続する。カレントトランスＣＴの２次巻線Ｎ４の一端はアースに接続し、他端は電源回路４の制御回路３に接続する。電圧源５の他端はアースと点灯制御回路６を介して蛍光表示管ＦＩＴのアノードおよびグリッドに接続した構成となっている。
【０００４】
このような構成とした図４の回路では、外部から入力端子１ａ、１ｂ間に電圧が供給されると、変換回路２が動作し、変換回路２はトランスＴの１次巻線Ｎ１にパルス状電圧あるいは交流電圧を供給する。すると２次巻線Ｎ２には１次巻線Ｎ１に印加された電圧の波形に相似した波形の交流電圧が発生し、２次巻線Ｎ２から蛍光表示管ＦＩＴのフィラメントに交流電流が供給される。この時、蛍光表示管ＦＩＴのフィラメントとグリッドとの間とフィラメントとアノードとの間には電圧源５に発生した電圧ＶＢ１が印加される。このフィラメントへの電流供給と、フィラメント、グリッド間およびフィラメント、アノード間への電圧印加により蛍光表示管ＦＩＴは点灯することになる。
【０００５】
ここで、蛍光表示管ＦＩＴの表示状態が点灯制御回路６の動作によって変化すると、フィラメントとグリッドとの間とフィラメントとアノードとの間を通過する電流、すなわちカソード電流の流量が変化する。図４に示す回路では、このカソード電流をカレントトランスＣＴで検出し、電源回路４を構成する制御回路３に検出信号を送る。すると制御回路３では、受信した検出信号に応じて変換回路２に供給する制御信号の制御量、例えば電圧値やパルス幅などを変化させ、変換回路２を通過するエネルギー量を変化させる。その結果、２次巻線Ｎ２からフィラメントに供給される電流は蛍光表示管ＦＩＴの表示状態に応じて増減し、その表示の輝度を安定化するよう作用する。
【０００６】
ところで蛍光表示管は、フィラメントから電子を熱放出させ、その電子を電界加速してアノードにぶつけ、アノードに塗布した蛍光体を発光させることにより点灯する。そのため、基本的にフィラメントはアノード、グリッドよりも低い電位に保つ必要があり、図４に示す回路では、点灯時にアノード、グリッドの電位をアース電位とし、フィラメントには電圧源５に発生するアース電位よりも電位の低い電圧、すなわち電圧極性が負の電圧を供給する構成としている。
このような構成において、仮に電流検出回路８ｃに一般に良く用いられている抵抗検出法の回路を適用し、カソード電流を検出しようとすると、電圧源５に発生する電圧の極性が負であるため、検出信号の電圧も負極性となってしまう。
【０００７】
ところが図４中の電源回路４を構成する変換回路２、制御回路３などは、一般にアース電位よりも電位の高い電圧、すなわち電圧極性が正の電圧による信号を処理する、いわゆる正論理型の回路で構成されている。通常、電圧極性が負の検出信号は正論理型の制御回路３に対して直に供給できない。そこで図４に示す回路では、カソード電流を検出する検出回路９ｃに抵抗検出法による回路ではなく、カレントトランスＣＴを用いる。そして、その２次巻線Ｎ４に得られる検出信号の電圧極性が正となるような接続構成とした上で、検出信号を制御回路３に供給するようにしていた。
【０００８】
【発明が解決しようとする課題】
前述したように、電流を検出し、それにより得た検出信号を電圧極性の異なる回路系統間で授受する場合、カレントトランスは有用である。
しかしカレントトランスは巻線部品であり、各巻線に浮遊容量や漏れインダクタンスが存在する。蛍光表示管ＦＩＴの表示状態が変化し、カソード電流がステップ状に変化した時、カレントトランスＣＴから制御回路３に送られる信号波形に、浮遊容量と漏れインダクタンスに起因して発生するノイズが重畳されるといった問題があった。もし仮に、信号波形にノイズが重畳されていた場合、その制御系で正確な電流量の検知ができず、被制御対象の電源回路の出力制御が正しく行われなくなることが有る。
【０００９】
その結果、負荷が蛍光表示管であれば、その表示輝度が不安定となったり、管の寿命が短くなるといった不都合な現象を生じる恐れがあった。
また、図４に示すようにカレントトランスＣＴの２次巻線Ｎ２の接続構成を固定すると、検出信号の電圧極性と制御回路３の正／負論理型の関係が限定されてしまい、負荷と制御回路の仕様毎に電流検出回路９ｃの構成が異なる製品を用意しなければならないといった不都合もあった。
そこで本発明は、電力伝送線路を流れる電流の検出信号の電圧極性を後段の回路系統に適合する極性とすることが可能であり、かつ検出信号にノイズが重畳されにくい電流検出回路を提供することを目的とする。
【００１０】
【課題を解決するための手段】
本発明の電流検出回路は、電力の伝送線路に直列に検出用抵抗を接続し、検出用抵抗の両端にそれぞれ現れた２つの端子電圧の差より伝送線路に流れる電流を検出する電流検出回路において、基準電位点に一方の端子が接続された基準電圧源と当該基準電圧源に接続された切換回路とを具備し、伝送線路の電圧が第１の極性の時には、２つの端子電圧に相当する２つの電圧信号に、それぞれ基準電圧源が出力する基準電圧でバイアスを与え、バイアスを受けた２つの電圧信号から伝送線路に流れる電流の流量に相当する信号を得る。一方、伝送線路の電圧が第２の極性の時には、切換回路により基準電圧の供給を停止させ、前記２つの端子電圧に相当する２つの電圧信号から伝送線路に流れる電流の流量に相当する信号を得ることを特徴とする。
【００１１】
【発明の実施の形態】
電力伝送線路に直列に検出用抵抗を接続し、一方の端子をアースに接続した基準電圧源を設ける。第１の抵抗と第の２抵抗の直列回路を有した第１の分圧回路を検出用抵抗の一端と基準電圧源の他方の端子との間に接続し、第３の抵抗と第４の抵抗の直列回路を有した第２の分圧回路を検出用抵抗の他端と基準電圧源の他方の端子との間に接続する。誤差増幅器を設け、第１と第２の抵抗の接続点と第３と第４の抵抗の接続点を、誤差増幅器の２つの入力端子にそれぞれ接続する。そして基準電圧源に、電力伝送線路の電圧極性に応じて基準電圧の供給を停止させる切換回路を接続する。
【００１２】
ここで具体的に基準電圧源は、そのアノードをアースに、カソードを前記２つの分圧回路に接続した３端子レギュレータと、３端子レギュレータのアノード、ゲート間およびカソード、ゲート間にそれぞれ接続された２つの抵抗を具備した構成とする。また、一例として切換回路は、基準電圧源の端子間にその主電流路を接続したスイッチとしてのトランジスタと、トランジスタのベースと検出用抵抗の他端との間に接続された抵抗とダイオードの直列回路とを具備した構成とする。別の例として切換回路は、基準電圧源と駆動用電圧の電源供給点との間にその主電流路を接続したスイッチとしてのトランジスタと、トランジスタのベースとアースとの間にその主電流路が接続された制御トランジスタと、制御トランジスタのベースと検出用抵抗の他端との間に接続された抵抗とを具備した構成とする。
【００１３】
【実施例】
電力伝送線路を流れる電流の検出信号の電圧極性を後段の回路系統に適合する極性とすることが可能な本発明による電流検出回路の実施例を含む、蛍光表示管及びその周辺回路を図１および図２に示した。
図１は、蛍光表示管ＦＩＴを点灯させるに当たって、電力伝送線路の電圧極性を負にした時の蛍光表示管及びその周辺回路の構成を示し、図２は、電力伝送線路の電圧極性を正にした時の蛍光表示管及びその周辺回路の構成を示している。この図１、図２の回路において、本発明の第１の実施例による電流検出回路９ａは以下のように構成した。
【００１４】
トランスＴの中間タップＰと電圧源５（あるいは電圧源１１）の一端を結ぶ電力伝送線路に検出用抵抗Ｒ１を直列に接続し、アノード端子をアースに接続した３端子レギュレータＩＣを設ける。３端子レギュレータＩＣのカソード、ゲート間に抵抗Ｒ７を、アノード、ゲート間に抵抗Ｒ８をそれぞれ接続し、この３端子レギュレータＩＣ、抵抗Ｒ７およびＲ８により基準電圧源７を構成する。検出用抵抗Ｒ１の一端（Ａ）と３端子レギュレータＩＣのカソードとの間に抵抗Ｒ２と抵抗Ｒ３からなる分圧回路を接続し、検出用抵抗Ｒ１の他端（Ｂ）と３端子レギュレータＩＣのカソードとの間に抵抗Ｒ４と抵抗Ｒ５からなる分圧回路を接続する。誤差増幅器ＥＡを設け、一方の入力端子を抵抗Ｒ２と抵抗Ｒ３の接続点（分圧点）に接続し、他方の入力端子を抵抗Ｒ４と抵抗Ｒ５の接続点（分圧点）に接続し、誤差増幅器ＥＡの出力端子を制御回路３に接続する。
【００１５】
駆動用電圧（ＶＣ）の供給点と３端子レギュレータＩＣのカソードとの間に抵抗Ｒ６を接続し、基準電圧源７の端子間、すなわち３端子レギュレータＩＣのアノード、カソード間に、スイッチとしてのトランジスタＱ１の主電流路を接続する。トランジスタＱ１のベースと検出用抵抗Ｒ１の他端（Ｂ）との間に、ダイオードＤ１、抵抗Ｒ９および抵抗Ｒ１０を直列に接続し、抵抗Ｒ９とＲ１０の接続点とアースとの間にダイオードＤ２を接続する。このトランジスタＱ１、抵抗Ｒ９、Ｒ１０、ダイオードＤ１およびＤ２により切換回路８ａを構成する。
【００１６】
なお、図１の回路については、電流検出回路９ａ以外の回路部分は図４の回路と同じ構成としている。
一方、図２の回路については、図１の回路の電圧源５とは極性が逆の電圧源１１を検出用抵抗Ｒ１の他端（Ｂ）とアースとの間に接続し、蛍光表示管ＦＩＴのグリッドをアースに接続する。さらに低電位側の一端がアースに接続された電圧源１０を設け、電圧源１０から点灯制御回路６を介して蛍光表示管ＦＩＴのアノードに正極性の電圧を供給する。これにより、電圧源１０から、点灯制御回路６、蛍光表示管ＦＩＴのアノード、フィラメント、２次巻線Ｎ２、検出用抵抗Ｒ１、電圧源１１そしてアースの経路で電流が流れるように構成している。
【００１７】
以上のような構成とした図１、図２の回路において、本発明による電流検出回路９ａは、電力伝送線路の電圧極性に応じて以下のように動作する。
先ず、図１の回路のように電力伝送線路の電圧極性を負の状態として蛍光表示管ＦＩＴを点灯させた時、検出用抵抗Ｒ１の他端（Ｂ）には電圧源５の負極性の電圧ＶＢ１が現れる。一方、検出用抵抗Ｒ１の一端（Ａ）には、電圧ＶＢ１から検出用抵抗Ｒ１に生じた電圧降下分を差し引いた大きさの負極性の電圧が現れる。これら検出用抵抗Ｒ１の両端（Ａ）、（Ｂ）に現れた電圧は、それぞれ検出用抵抗Ｒ１の両端に接続された抵抗Ｒ２と抵抗Ｒ３、あるいは抵抗Ｒ４と抵抗Ｒ５の分圧回路で分圧される。
【００１８】
ここで、検出抵抗Ｒ１の他端（Ｂ）の電圧が負極性であるため切換回路８ａのトランジスタＱ１はオフ状態となる。この時、基準電圧源７の内部では、抵抗Ｒ６を介して供給された駆動用電圧（ＶＣ）によって３端子レギュレータＩＣが動作し、そのアノード、カソード間に所定の電圧値の基準電圧を発生させる。
すると、抵抗Ｒ２とＲ３による分圧回路と抵抗Ｒ４とＲ５の分圧回路には基準電圧源７から基準電圧が供給され、抵抗Ｒ２と抵抗Ｒ３の接続点に現れる分圧電圧および抵抗Ｒ４と抵抗Ｒ５の接続点に現れる分圧電圧は、基準電圧によりバイアスを受けることになる。
【００１９】
具体的には、基準電圧の電圧値を、各抵抗Ｒ４、Ｒ５（あるいはＲ２、Ｒ３）の抵抗値と電圧ＶＢ１の電圧値から式｛（Ｒ４／Ｒ５）・ＶＢ１｝より求められる値より大きくしておくと、各分圧点の電圧の極性は正となる。このようにして正極性となった各分圧電圧を誤差増幅器ＥＡに入力する。すると誤差増幅器ＥＡの出力信号は電圧極性が正となり、検出用抵抗Ｒ１を流れるカソード電流が変化した場合には、その信号の変化量がカソード電流の変化量に応じたものとなる。
【００２０】
次に、図２の回路のように電力伝送線路の電圧極性を正の状態として蛍光表示管ＦＩＴを点灯させた時、検出用抵抗Ｒ１の他端（Ｂ）には電圧源１１の正極性の電圧ＶＢ３が現れる。一方、検出用抵抗Ｒ１の一端（Ａ）には、電圧ＶＢ３から検出用抵抗Ｒ１に生じた電圧降下分を加えた大きさの正極性の電圧が現れる。これら検出用抵抗Ｒ１の両端（Ａ）、（Ｂ）に現れた電圧は、それぞれ検出用抵抗Ｒ１の両端に接続された抵抗Ｒ２と抵抗Ｒ３、あるいは抵抗Ｒ４と抵抗Ｒ５の分圧回路で分圧される。なお、電圧源１１はフィラメントとグリッドとの間にオフセット電圧を供給するためのものであり、各電圧源１０、１１に発生する電圧の関係は｛ＶＢ２＞ＶＢ３｝となる。
【００２１】
ここで、検出用抵抗Ｒ１の他端（Ｂ）の電圧は、電圧源１１に生ずる電圧ＶＢ３によって極性が正となることから、切換回路８ａのトランジスタＱ１はダイオードＤ１、抵抗Ｒ９およびＲ１０を介して順方向のバイアスを受け、オン状態となる。この時、トランジスタＱ１によって３端子レギュレータＩＣのアノード、カソード間は短絡され、基準電圧源７から各分圧回路への基準電圧の供給が停止される。
各分圧点の分圧電圧は、基準電圧によるバイアスを受けずとも元々極性が正であるため、各分圧電圧をそのまま誤差増幅器ＥＡに入力する。すると誤差増幅器ＥＡの出力信号は、電圧極性が正で、その変化量がカソード電流の変化量に応じたものとなる。
【００２２】
以上の動作の説明から分かるように、本発明による電流検出回路９ａは、電力伝送線路の電圧極性に関わり無く、検出信号の電圧極性を後段の制御回路３に適合させることが可能である。また本発明の電流検出回路９ａは、カレントトランスを使用した場合と異なり、回路中に浮遊容量や漏れインダクタンスのような要素が無い。このため、信号に対するノイズ重畳が無く、電流の流量変化を正しく反映する信号を後段の制御回路３へ送ることができる。
【００２３】
なお、原理的には、本発明の電流検出回路９ａから切換回路８ａを除いても、電力伝送線路の電圧極性に関わり無く、検出信号の電圧極性を後段の制御回路３に適合させることが可能である。しかし切換回路８ａを除くと、電力伝送線路の電圧極性が正の時にも抵抗Ｒ２、Ｒ３（あるいは抵抗Ｒ４、Ｒ５）の分圧点に基準電圧によるバイアスが加えられてしまう。すると、抵抗Ｒ２、Ｒ３（あるいは抵抗Ｒ４、Ｒ５）の分圧点に得られる信号の電圧値が誤差増幅器ＥＡの動作許容電圧以上になり、実際にその電流検出回路を使用することが出来なくなる場合が有る。切換回路８ａの存在は、電力伝送線路の電圧極性が正の時に誤差増幅器ＥＡに入力される信号の電圧値の上昇を抑え、電力伝送線路の電圧極性に関わり無く、電流検出回路９ａの使用を可能とするという点で重要な意味を持つ。
【００２４】
このような切換回路を図１とは別の回路構成で形成しているのが、図３に示す本発明の第２の実施例による電流検出回路９ｂである。
図３は、図１と同様に、本発明による電流検出回路を含む、電力伝送線路の電圧極性を負にした時の蛍光表示管及びその周辺回路の構成を示し、この中で切換回路８ｂは以下のような構成としている。
【００２５】
基準電圧源７の一端、すなわち３端子レギュレータＩＣのカソードと駆動用電圧（ＶＣ）の供給点との間に、スイッチとしてのトランジスタＱ２の主電流路を接続する。トランジスタＱ２のベース、エミッタ間に抵抗Ｒ１１を接続し、さらにトランジスタＱ２のベースはダイオードＤ３及び制御トランジスタＱ３の主電流路を介してアースに接続する。制御トランジスタＱ３のベースと検出用抵抗Ｒ１の他端（Ｂ）との間に、抵抗Ｒ９および抵抗Ｒ１０を直列に接続し、抵抗Ｒ９とＲ１０の接続点とアースとの間にダイオードＤ２を接続する。このトランジスタＱ２、制御トランジスタＱ３、抵抗Ｒ９、Ｒ１０、ダイオードＤ２およびＤ３により切換回路８ｂを構成する。この切換回路８ｂ以外の回路部分については、図１と図３の回路構成は同一となっている。
【００２６】
以上のような構成とした切換回路８ｂと、この切換回路８ｂを有する電流検出回路９ｂの動作は以下のようになる。
図３に示す回路のように電力伝送線路の電圧極性を負の状態として蛍光表示管ＦＩＴを点灯させると、検出用抵抗Ｒ１の他端（Ｂ）には電圧源５の負極性の電圧ＶＢ１が現れる。検出抵抗Ｒ１の他端（Ｂ）の電圧が負極性であることから、切換回路８ｂの制御トランジスタＱ３はオフ状態となり、スイッチとしてのトランジスタＱ２は、抵抗Ｒ１１を介して供給される順方向バイアスによりオン状態となる。
【００２７】
基準電圧源７の内部では、トランジスタＱ２の主電流路を介して供給された駆動用電圧（ＶＣ）によって３端子レギュレータＩＣが動作し、そのアノード、カソード間に所定の電圧値の基準電圧を発生させる。すると、抵抗Ｒ２とＲ３による分圧回路と抵抗Ｒ４とＲ５の分圧回路には基準電圧源７から基準電圧が供給され、抵抗Ｒ２と抵抗Ｒ３の接続点に現れる分圧電圧および抵抗Ｒ４と抵抗Ｒ５の接続点に現れる分圧電圧は、基準電圧によりバイアスを受ける。
ここで基準電圧の電圧値を、前出の式から求められる値より大きくしておくと、各分圧点の電圧の極性は正となる。このようにして正極性となった各分圧電圧を誤差増幅器ＥＡに入力することにより、その出力端子に、電圧極性が正で、その変化量がカソード電流の変化量に応じた信号が得られる。
【００２８】
一方、図３に示す構成の電流検出回路９ｂを、図２に示すような電力伝送線路の電圧極性を正の状態として蛍光表示管ＦＩＴを点灯させる回路に適用した場合を想定すると、その動作は以下のようになる。
この場合、検出抵抗Ｒ１の他端（Ｂ）の電圧が正極性となることから、切換回路８ｂの制御トランジスタＱ３はオン状態、スイッチとしてのトランジスタＱ２はオフ状態となる。すると基準電圧源７の内部では、トランジスタＱ２がオフ状態であるために駆動用電圧（ＶＣ）が供給されず、３端子レギュレータＩＣのアノード、カソード間は等価的に開放状態となる。
【００２９】
この時、検出用抵抗Ｒ１の一端（Ａ）は抵抗Ｒ２、Ｒ３、Ｒ７およびＲ８を介してアースに接続され、他端（Ｂ）は抵抗Ｒ４、Ｒ５、Ｒ７およびＲ８を介してアースに接続される。このような状態の抵抗Ｒ１〜Ｒ５、Ｒ７およびＲ８の回路部分は、実質的に、トランジスタＱ１によって基準電圧源７の端子間が短絡された状態の図２の回路の抵抗Ｒ１〜Ｒ５の回路部分と同じ機能を果たす。このため、図３に示す構成の電流検出回路９ｂでも、電力伝送線路の電圧極性が正の状態の時には、抵抗Ｒ２とＲ３、抵抗Ｒ４とＲ５の各分圧点の分圧電圧がそのまま誤差増幅器ＥＡに入力され、誤差増幅器ＥＡの出力端子に、電圧極性が正で、その変化量がカソード電流の変化量に応じた信号が得られる。
【００３０】
以上の本発明による電流検出回路の実施例の説明において、図１から図３に示す回路の誤差増幅器ＥＡには正論理型の回路を想定している。この誤差増幅器ＥＡの電圧極性の系統は実質的に制御回路３と同じであり、誤差増幅器ＥＡを制御回路３と一体に構成することも可能である。また誤差増幅器ＥＡ、基準電圧源７を駆動するのに必要な駆動用電圧（ＶＣ）については制御回路３を駆動するための電源供給点より電圧供給を受けることも可能である。
また、各実施例では検出信号を正論理型の回路系統に供給するような装置の構成を示したが、逆に本発明を、検出信号を負論理型の回路系統に供給する装置に応用しても構わない。当然、本発明の電流検出回路が組み込まれる回路系統が、実施例に示すような蛍光表示管を点灯するためのインバータ回路に限られることは無い。
【００３１】
【発明の効果】
以上に説明したように本発明による電流検出回路は、電力伝送線路に直列に検出用抵抗を接続し、その抵抗の両端に現れた電圧に相当するそれぞれの電圧信号に基準電圧源からの基準電圧でバイアスを与え、該バイアスが与えられた２つの電圧信号から電力伝送線路を流れる電流に相当する検出信号を得る構成と、基準電圧源に切換回路を接続し、電力伝送線路の電圧極性に応じて基準電圧の供給を停止させる構成とを組み合わせたことを特徴としている。
【００３２】
このような本発明の電流検出回路では、基準電圧でバイアスを与えることで信号の電圧極性を操作し、検出信号の電圧極性を後段の回路系統に適合させることができる。また、電力伝送線路の電圧極性に応じて基準電圧の供給を停止させることにより、バイアスの付与によって信号の電圧値が高くなり過ぎ、実際に回路を使用できなくなるという事態を防止することができる。さらに、回路中に浮遊容量や漏れインダクタンスのような要因が無いため、信号にノイズ重畳が無くなる。従って、本発明によれば、汎用性が高く、信頼性の高い電流検出回路を提供することができる。
【図面の簡単な説明】
【図１】本発明による電流検出回路の第１の実施例と、電力伝送線路の電圧極性が負となる場合の蛍光表示管及びその周辺回路の回路図。
【図２】本発明による電流検出回路の第１の実施例と、電力伝送線路の電圧極性が正となる場合の蛍光表示管及びその周辺回路の回路図。
【図３】本発明による電流検出回路の第２の実施例と、蛍光表示管及びその周辺回路の回路図。
【図４】従来における電流検出回路と、蛍光表示管及びその周辺回路の回路図。
【符号の説明】
１ａ、１ｂ：入力端子      ２：変換回路      ３：制御回路      ４：電源回路      ５：電圧源      ６：点灯制御回路      ７：基準電圧源      ８ａ、８ｂ：切換回路      ９ａ、９ｂ：電流検出回路      １０：電圧源（管駆動用）      １１：電圧源（オフセット電圧供給用）      ＣＴ：カレントトランスＥＡ：誤差増幅器      ＦＩＴ：蛍光表示管      Ｒ１：検出用抵抗    Ｒ２：抵抗（第１の抵抗）      Ｒ３：抵抗（第２の抵抗）        Ｒ４：抵抗（第３の抵抗）      Ｒ５：抵抗（第４の抵抗）      Ｑ１、Ｑ２：トランジスタ（スイッチ）      Ｑ３：制御トランジスタ      ＶＣ：駆動用電圧
【図１】
0003634664.tif 000002
【図２】
0003634664.tif 000003
【図３】
0003634664.tif 000004
【図４】
0003634664.tif 000005